(57)【要約】【課題】地上から見上げた場合の住宅の高い位置にある住宅構成部材の外観を見栄え良くして高級感を醸し出す住宅化粧部材を得ること。【解決手段】取付縦板５と、該取付縦板５の表面上端側に一端側が接続され他端側が斜め下方に延びる傾斜面板６と、前記傾斜面板６の一端側を接続した位置より下方側の前記取付縦板５の表面に一端側が接続され他端側が前記傾斜面板６の他端側に先端部が突出するように接続された上段遮板７と、前記上段遮板７の下方側の位置で前記取付縦板５に先端側が前記上段遮板７より短い長さで前記上段遮板７と同方向に突出するように接続した下段遮板１０とを具備し、且つ、前記上段遮板７及び下段遮板１０のそれぞれの先端縁に沿って上方へ突出した見上反射部８、１１を具備する住宅化粧部材としたこと。【選択図】図１
2018084078.tif 000002
【特許請求の範囲】
【請求項１】
取付縦板と、該取付縦板の表面上端側に一端側が接続され他端側が斜め下方に延びる傾斜面板と、前記傾斜面板の一端側を接続した位置より下方側の前記取付縦板の表面に一端側が接続され他端側が前記傾斜面板の他端側に先端部が突出するように接続された上段遮板と、前記上段遮板の下方側の位置で前記取付縦板に先端側が前記上段遮板より短い長さで前記上段遮板と同方向に突出するように接続した下段遮板とを具備し、且つ、前記上段遮板及び下段遮板のそれぞれの先端縁に沿って上方へ突出した見上反射部を具備する住宅化粧部材。
【請求項２】
前記見上反射部が、前記上段遮板及び下段遮板の先端縁を上方へ屈曲させて形成された折り曲げ片であることを特徴とする請求項１記載の住宅化粧部材。
【請求項３】
前記取付縦板の裏面の上下端に住宅構成部材に予め取付けられている被取付具に取付固定自在な取付固定具を設けたことを特徴とする請求項１又は請求項２記載の住宅化粧部材。
【発明の詳細な説明】
【技術分野】
【０００１】
この発明は、住宅の陸屋根、バルコニー、パラペットなどの外周部の外壁立ち上げ部の頂部に用いる笠木や、庇、軒先などの住宅構成部材の突出部分などに用いることで地上から見上げた際に見た目が良い印象を与える住宅化粧部材に関する。
【背景技術】
【０００２】
周知のように、笠木は塀、手摺、腰壁、パラペットなどの頂部に使用する仕上材の一種で、特に、陸屋根、バルコニーなどの外周部の外壁立ち上げ部に用いるものについての従来技術としては、特許文献１に示されるような細幅見付笠木がある。この笠木は、笠木の外側の水切りにおける見付幅を細幅として、建築物のデザインにマッチするようにしたもので、笠木の天板内外の水切りの見付幅を２〜３ｃｍとして、水切りの内外幅をコンクリート壁から外側に２〜３ｃｍ突出して形成することにより地上から見上げた際に細幅に見えるようにすると共に、笠木を被せているコンクリート壁への雨水浸入を許容する一方、コンクリート壁外側面への雨垂れとその痕跡の付着の防止をも図るものである。
【先行技術文献】
【特許文献】
【０００３】
【特許文献１】特開２０１２−２４６６９８号公報
【発明の概要】
【発明が解決しようとする課題】
【０００４】
しかしながら、前記特許文献１の発明においては、見付幅が２〜３ｃｍとして従来よりは細くなって地上から見上げた場合の見栄えの改善はみられるものの、住宅の外観の高級化を志望する一般の需要者の全てを満足させるには不十分で未だ改善の余地が残されている。又、見付幅が短いことから、雨水がコンクリート壁へ浸入するという問題点がある。又、地上から見上げた場合の見栄えの改善については、笠木以外にも庇、軒先などの住宅突出部などについても同様の問題点がある。
【課題を解決するための手段】
【０００５】
この発明は上記事情に鑑みてなされたものであって、その手段とするとするところは、取付縦板と、該取付縦板の表面上端側に一端側が接続され他端側が斜め下方に延びる傾斜面板と、前記傾斜面板の一端側を接続した位置より下方側の前記取付縦板の表面に一端側が接続され他端側が前記傾斜面板の他端側に先端部が突出するように接続された上段遮板と、前記上段遮板の下方側の位置で前記取付縦板に先端側が前記上段遮板より短い長さで前記上段遮板と同方向に突出するように接続した下段遮板とを具備し、且つ、前記上段遮板及び下段遮板のそれぞれの先端縁に沿って上方へ突出した見上反射部を具備する住宅化粧部材とした、ところにある。
【０００６】
又、前記見上反射部が、前記上段遮板及び下段遮板の先端縁を上方へ屈曲させて形成された折り曲げ片であることにある。
【０００７】
更に又、前記取付縦板の裏面の上下端に住宅構成部材に予め取付けられている被取付具に取付固定自在な取付固定具を設けたことにある。
【発明の効果】
【０００８】
この発明によると、取付縦板の表面に一端側が接続された上段遮板と、この上段遮板の表面の下方で取付縦板に一端側が接続された上段遮板より取付縦板の表面よりの突出長さが短い下段遮板によって、看者が地上から見上げた場合に、上段遮板と下段遮板の裏側面が見えるが、太陽光線から直接或いは雲等に当たって反射した光線はこれら上段遮板や下段遮板の表側面に照射されるものの裏側面は薄暗くて見えにくい。しかし、それぞれの遮板の先端縁に沿って上方へ突出して形成された見上反射部は、突出した部位に太陽光線が直接あるいは間接的に照射して反射されるために、地上から見上げた場合には、上段遮板及び下段遮板の先端縁にそれぞれ設けた細長い見上反射部が２条に亘って見えることになり、住宅の地上からの見栄えが向上し、住宅の高級感を得ることが出来る。又、傾斜面板の他端側と上段遮板の他端側が接続されることにより上段遮板が長くても安定して保持される。更に、取付縦板より傾斜面板が突出しているために、雨水をこの傾斜面板で遮ることができるために、取付縦板の縦方向の長さがその分短くても雨水の取付縦板の裏面側の住宅構成部材への浸入を阻止できる。そして、取付縦板の表面より傾斜面板が突出していても、傾斜しているので地上から見上げても看者の視界に入ることがないので、２条の見上反射部のみが見えて良好な見栄えを維持できる。
【０００９】
見上反射材が、上段遮板及び下段遮板の先端縁を上方へ屈曲させて形成した折り曲げ片である場合には、折り曲げるだけで良いので製作が容易である。又、この折り曲げ片によって傾斜面板の下端で樋を形成できるので、傾斜面板を流下する雨水をまとめて傾斜面板の側方へ排出でき、下方に位置する住宅の面材を汚したりすることがない。又、上段遮板、下段遮板の先端部の折り曲げ強度を向上できる。
【００１０】
取付縦板の裏面に、住宅構成部材に予め設けられている被取付具に対応する取付固定具を設けておくと、取付固定具が容易である。住宅構成部材は、住宅の外周部の外壁立ち上げ部に使用する笠木であっても、軒先、庇など住宅の高い位置で外側に面している部材であれば、地上から見上げることが出来るので好適に利用できる。取付固定具がない住宅装飾部材であれば、ビスやねじ釘などの固定具を用いて直接取付固定しなければならないので部位によっては利用できないこともあるので、あらかじめ被取付具を設けておき、これに対応する取付固定具を設けておくと便利になる。
【図面の簡単な説明】
【００１１】
【図１】住宅化粧部材の笠木への取付傾斜説明図
【図２】住宅化粧部材の実施例の横断面図
【図３】住宅化粧部材の住宅の屋上における使用場所例図
【図４】笠木の断面説明図
【発明を実施するための形態】
【００１２】
この発明の住宅化粧部材１の最良の実施形態について以下図を参考にしつつ説明する。この住宅化粧部材１は、地上から見上げて見える住宅２の高所の部位を見栄え良くし、しかも雨水の住宅構成部材への浸入を有効に阻止し得るようにするもので、陸屋根、バルコニー、パラペットなどの外周部の外壁立ち上げ部の頂部に用いる笠木や、庇、軒先などの住宅構成部材の突出部などにも使用される。
【００１３】
この実施形態においては、住宅構成部材が図３に示すように、住宅２の屋上の周囲に設けられている外壁立ち上げ部３の頂部に設けた笠木４に取付固定した住宅化粧部材１について説明する。住宅化粧部材１は図１、図２に示されるように、笠木４の水切り板４ａに取付けられる取付縦板５と、該取付縦板５の表面上端に一端側が接続され他端側が斜め下方に延びる傾斜面板６を有し、更にこの傾斜面板６の一端側を接続した前記取付縦板５の位置より下方側の位置に上段遮板７の一端側が接続されている。そして、前記取付縦板５に対して直角方向に延びた他端側には先端部７ａが突出するようにして前記傾斜面板６の他端と接続されている。前記先端部７ａの先端縁は長手方向に沿って上方に折曲された折り曲げ片である上見上反射部８を形成している。この上見上反射部８の折曲された上下の幅は、取付縦板５の長さが４９．３ｍｍ、上段遮板７の長さが２８ｍｍ、傾斜面板６の一端側と他端側の取付縦板５における縦方向の長さが３０．３ｍｍとした場合には４ｍｍ程度が適当である。
【００１４】
更に、前記先端部７ａが上方へ折曲した上見上反射部８は折曲した上端側が更に取付縦板５方向に折曲して上段遮板７と略平行な折曲先端部８ａを形成している。これによって、上段遮板７の先端部７ａの上方で傾斜面板６の下方には樋９ａが形成され、傾斜面板６に当って流下する雨水を集めて側方へ流して笠木４を取付けている外壁立ち上げ部３の側面に垂れないようにしていると共に先端部７ａの曲げ強度を一層強くしている。そして、このような上見上反射部８は地上から見上げた際に傾斜面板６を見えにくくし、太陽光線を直接又は間接にも遮るものがないために上見上反射部８の上下幅の面に直接又は間接に太陽光線が照射されるので地上からの看者をして長手方向に細長く観察できる。
【００１５】
前記上段遮板７の下側の位置で、前記取付縦板５に先端側が前記上段遮板７より短い長さで前記上段遮板７と同方向に突出した下段遮板１０が接続されている。この実施形態においては、取付縦板５の下端側の表面側への傾斜部５ａの先端に下段遮板１０の略中央部分が接続され、そこから先端側が前記上段遮板７より短い長さで延びて先端部１０ａに下見上反射板１１が形成されている。この下見上反射板１１は前記上見上反射板８と同様に先端部１０ａの先端縁が長手方向に沿って上方に折曲された折り曲げ片である。この下見上反射部１１の折曲された上下幅は、下段遮板１０の全体の長さが１５ｍｍ、取付縦板５よりの上段遮板７と同方向への突出部分の長さが８．８ｍｍとした場合、前記上見上反射部８と同じ４ｍｍ程度が適当である。
【００１６】
更に、前記下見上反射部１１の上端縁が更に取付縦板５方向へ折曲して下段遮板１０と略平行な折曲先端部１１ａを形成している。これによって、下段遮板１０の先端部１０ａの上方で取付縦板５の下方には樋９ｂが形成されることになるが、ここへは上段遮板７があるので雨水はほとんど入らないものの、このように曲げられた下見上反射部１１及び折曲先端部１１ａによって先端部１０ａの曲げ強度を一層強くしている。このような下見上反射部１１は前記上見上反射部８と同様に地上から見上げた際には太陽光線によって下見上反射部１１の上下幅で長手方向に反射した反射光を細長く観察できる。上段遮板７や下段遮板１０の地上から見える裏面は日陰になっているので殆ど反射光は発生しない。従って、地上から見上げた看者には笠木４の幅長の水切り板４ａに代っての高所の部位で幅狭い帯状線が２本平行に走っているように見えるために、住宅２の上方の見栄えを良くできる。
【００１７】
このような住宅化粧部材１を住宅構成部材である笠木４に取付けるには、取付縦板５をビスやねじ釘などの固定具を用いて直接固定してもよいし、又、住宅化粧部材１を住宅の建築時から取り入れておいてもよい。具体的には笠木４の水切り板４ａの代りに住宅化粧部材１を直接に天板４ｂの側方に一体形成して製造するようにしてもよい。あるいは、取り付けるべき笠木４などの住宅構成部材に予め被取付具を設けておき、この被取付具に対応する取付固定具を住宅化粧部材１に設けておくこともできる。この取付固定具を具備した住宅化粧部材１の実施形態について以下説明する。
【００１８】
この住宅化粧部材１の取付固定具１２は図１、図２によく現われているように、取付縦板５の裏面に住宅構成部材である笠木４の被取付具１３に後から取付固定できるように対応したものである。笠木４の被取付具１３は、図４によく現われているように、外壁立ち上げ部３の頂部に設けた笠木４の天板４ｂの両側の水切り板４ａのうちの１つの上端に天板４ｂから突出した引掛け片４ｃを設け、当該垂直面板４ａの下端に返し片４ｄを形成したものである。この被取付具１３に対応する取付固定具１２は、取付縦板５の裏面の上端に前記引掛け片４ｃに引掛ける鉤片１２ａと、垂直面板４ａの返し片４ｄの底面に当接する爪１２ｂと水切り板４ａの下端側面に当接する前記傾斜部５ａの折曲げ突部５ｂを具備している。そして、取付に際しては、引掛け片４ｃに鉤片１２ａを引掛けて取付縦板５の下端にある下段遮板１０を取付縦板５方向へ押し込むと爪１２ｂが返し片４ｄの上向きの底面に当接したまま後方から折曲げ突部５ｂによって押されてこの爪１２ｂと折曲げ突部５ｂに挟まれて取付縦板５の下端が水切り板４ａに嵌め込み固定され、結局、取付縦板５の上端と下端が水切り板４ａに取付固定される。取り外す時は、前記とは逆に下段遮板１０を手前に引き出すと、返し片４ｄから爪１２ｂと折曲げ突部５ｂが外れ、住宅化粧部材１を持ち上げることで鉤片１２ａが引掛け片４ｃから外れて取り外すことができる。
【００１９】
取付縦板５の下端側の傾斜部５ａの先端に下段遮板１０の略中央部が固定されているので、取付縦板５の下端が下から見上げた場合には見えず、又、下段遮板１０の後端側が笠木４の水切り板４ａより外壁立ち上げ部３側に入り込んでいるので笠木４との隙間を塞いで下方からの見栄をよくしている。
【００２０】
この実施形態においては、笠木４の例について述べたが、他の住宅構成部材についても同様に当該住宅構成部材に見合った被取付具を設け、それに対応する取付固定具１２を取付縦板５に設けることによって、簡単に後付けすることができる。
【００２１】
又、この実施形態の住宅化粧部材１は、住宅２の外壁立ち上げ部に用いる笠木４、庇、軒先などの突出部分などの比較的長い住宅構成部材に取付て使用するものであるから、必然的に長尺な部材となるので、製造過程においては、押出成形による一体加工が好適に使用される。従って、本実施形態の住宅化粧部材１の各構成部材は、一体成型によるものであり、各構成部材は製造過程においてそれぞれの部位において接続した状態で完成品として製造される。しかし、前述したように、上下の見上反射部８，１１を別部品として線材などの長尺部材を使用する場合には、溶接や接着剤或いは固定具で固定するようにしても良い。
【００２２】
更に、以上の実施形態においては、取付縦板５に接続したのは上段遮板７と下段遮板１０の２つであるので、看者は笠木４の水切り板４ａのような上下幅広のものではなく、２本の細長い帯状の線を見ることが出来き、見栄えを良く出来るが、必要に応じて上段遮板７と下段遮板１０の間にもう１つの先端部に中見上反射部を有する中段遮板を設けれて３本の細長い帯状の線を見ることもできるようにしてもよい。又、この実施形態においては笠木４の片方の水切り板４ａのみに使用したが、両方に使用してもよいのは勿論である。更に又、上見上反射部８及び下見上反射部１１として、上段遮板７の先端部７ａ及び下段遮板１０の先端部１０ａを上方へ折曲して形成した場合の例について述べたが、樋９ａ、９ｂは形成されなくなるが、これに代えて、下方へ折曲させたり、あるいは、それぞれの先端部７ａ及び先端部１０ａに沿って上下方向に細幅な線材を固定してもよい。
【産業上の利用可能性】
【００２３】
この発明の住宅化粧部材は、住所の種々の高所部位に取付けることによって、地上から見上げる看者に住宅の見栄えを良くし、ひいては住宅の高級感を増大させるものであるから、その応用範囲は広く多くの需要が見込まれるものである。
【符号の説明】
【００２４】
１  住宅化粧部材
２  住宅
３  外壁立ち上げ部
４  笠木
５  取付縦板
６  傾斜面板
７  上段遮板
８  上見上反射部
１０  下段遮板
１１  下見上反射部
１２  取付固定具
１３  被取付具
【図１】
2018084078.tif 000003
【図２】
2018084078.tif 000004
【図３】
2018084078.tif 000005
【図４】
2018084078.tif 000006